(57)【要約】【課題】デジタル駆動において、電源電圧の低下に伴う画質の劣化を改善する。【解決手段】画像データ生成回路１４４は、階調データＤと画像データＧとを対応づけて記憶した第１乃至第３テーブルＴＢＬ１〜ＴＢＬ３と、画像データＧに基づいて１ラインごとにオンを指定するデータ信号を画素に書き込む時間の合計である合計数を特定し、合計数に基づいて、第１乃至第３テーブルＴＢＬ１〜ＴＢＬ３の中から一つのテーブルをラインごとに選択するテーブル選択部７０と、選択されたテーブルを用いて、階調データＤを画像データＧに変換する変換部７１とを備える。【選択図】図４
2014052515.tif 000002
【特許請求の範囲】
【請求項１】
複数の画素を備え、１フレームを時間軸上で複数のサブフィールドに分割し、サブフィールドごとに前記画素がオン又はオフするように制御する電気光学装置であって、
複数の走査線と、
前記複数の走査線に交差する複数のデータ線と、
前記複数の走査線と前記複数のデータ線との各交差に対応して配置された前記複数の画素と、
表示すべき階調を示す階調データに基づいてサブフィールドごとに画素のオン又はオフを指定する画像データを生成する画像データ生成部と、
前記複数の走査線を選択して、前記画像データに応じたデータ信号を前記複数のデータ線を介して前記複数の画素に供給する駆動回路と、
を備え、
前記画像データ生成部は、
前記階調データと前記画像データと対応づけた複数のテーブルを記憶した記憶部と、
前記複数の走査線のうち少なくとも１本の走査線に対応する１ラインの前記階調データの合計値に応じて、前記複数のテーブルの中から一つのテーブルをラインごとに選択するテーブル選択部と、
前記テーブル選択部によって選択されたテーブルを用いて、前記階調データを前記画像データに変換する変換部と、
を備える電気光学装置。
【請求項２】
前記複数のテーブルは基準テーブルを含み、
前記テーブル選択部は、前記基準テーブルを用いて前記階調データを前記画像データに変換し、当該画像データに基づいて、ライン単位でサブフィールドごとにオンさせる画素の数をオン数又はライン単位でサブフィールドごとにオフさせる画素の数をオフ数としたとき、１フレームを構成する全てのサブフィールドについて前記オン数を合計した合計数又はオフ数を合計した合計数を特定し、１ラインの前記階調データの合計値に応じて定まる前記合計数に基づいて、前記複数のテーブルの中から一つのテーブルをラインごとに選択する、
ことを特徴とする請求項１に記載の電気光学装置。
【請求項３】
前記テーブル選択部は、
１フレーム中の各ラインの前記合計数のうち最大となるフレーム最大値、１フレーム中の各ラインの前記合計数のうち最小となるフレーム最小値、１フレーム中の各ラインの前記合計数の平均値であるフレーム平均値を特定し、
前記フレーム最大値と前記フレーム平均値との差分及び前記フレーム平均値と前記フレーム最小値との差分が所定値以上の場合、前記基準テーブルを用いて前記階調データを前記画像データに変換し、当該画像データに基づいて１ラインごとに前記合計数を特定し、前記合計数に基づいて、前記複数のテーブルの中から一つのテーブルをラインごとに選択する、
ことを特徴とする請求項２に記載の電気光学装置。
【請求項４】
前記テーブル選択部は、
前記フレーム最大値と前記フレーム平均値との差分及び前記フレーム平均値と前記フレーム最小値との差分が前記所定値未満の場合、当該フレームの各ラインで前記基準テーブルを選択する、
ことを特徴とする請求項３に記載の電気光学装置。
【請求項５】
請求項１乃至４のうちいずれか１項に記載の電気光学装置を備えたことを特徴とする電子機器。
【請求項６】
１フレームを時間軸上で複数のサブフィールドに分割し、サブフィールドごとに画素がオン又はオフするように制御し、複数の走査線と、前記複数の走査線に交差する複数のデータ線と、前記複数の走査線と前記複数のデータ線との各交差に対応して配置された複数の画素と、表示すべき階調を示す階調データとサブフィールドごとに画素のオン又はオフを指定する画像データとを対応づけて記憶した複数のテーブルとを備えた電気光学装置の駆動方法であって、
１ラインの前記階調データの合計値に応じて、前記複数のテーブルの中から一つのテーブルをラインごとに選択し、
選択されたテーブルを用いて、前記階調データを前記画像データに変換し、
前記複数の走査線を選択して、前記画像データに応じたデータ信号を前記複数のデータ線を介して前記複数の画素に供給する、
ことを特徴とする電気光学装置の駆動方法。
【請求項７】
前記複数のテーブルは基準テーブルを含み、
前記複数のテーブルの中から一つのテーブルをラインごとに選択する工程において、
前記基準テーブルを用いて前記階調データを前記画像データに変換し、
当該画像データに基づいて、ライン単位でサブフィールドごとにオンさせる画素の数をオン数又はライン単位でサブフィールドごとにオフさせる画素の数をオフ数としたとき、１フレームを構成する全てのサブフィールドについて前記オン数を合計した合計数又はオフ数を合計した合計数を特定し、
１ラインの前記階調データの合計値に応じて定まる前記合計数に基づいて、前記複数のテーブルの中から一つのテーブルをラインごとに選択する、
ことを特徴とする請求項６に記載の電気光学装置の駆動方法。
【請求項８】
前記合計数に基づいて、前記複数のテーブルの中から一つのテーブルをラインごとに選択する工程において、
１フレーム中の各ラインの前記合計数のうち最大となるフレーム最大値、１フレーム中の各ラインの前記合計数のうち最小となるフレーム最小値、１フレーム中の各ラインの前記合計数の平均値であるフレーム平均値を特定し、
前記フレーム最大値と前記フレーム平均値との差分又は前記フレーム平均値と前記フレーム最小値との差分が所定値以上の場合、前記基準テーブルを用いて前記階調データを前記画像データに変換し、
当該画像データに基づいて１ラインごとに前記合計数を特定し、
１ラインの前記階調データの合計値に応じて定まる前記合計数に基づいて、前記複数のテーブルの中から一つのテーブルをラインごとに選択する、
ことを特徴とする請求項７に記載の電気光学装置の駆動方法。
【請求項９】
前記合計数に基づいて、前記複数のテーブルの中から一つのテーブルをラインごとに選択する工程において、
前記フレーム最大値と前記フレーム平均値との差分及び前記フレーム平均値と前記フレーム最小値との差分が前記所定値未満の場合、当該フレームの各ラインで前記基準テーブルを選択する、
ことを特徴とする請求項８に記載の電気光学装置の駆動方法。
【発明の詳細な説明】
【技術分野】
【０００１】
本発明は、デジタル駆動において、画質を向上させる技術に関連する。
【背景技術】
【０００２】
液晶表示装置や有機ＥＬ表示装置などの電気光学装置は、複数の走査線と、複数のデータ線と、複数の走査線と複数のデータ線との交差に対応して設けられた複数の画素を備える。このような電気光学装置において、１フレームを時間軸上で複数のサブフィールドに分割し、サブフィールドごと画素の輝度を２値で制御する技術が知られている（例えば、特許文献１）。サブフィールド駆動では、１フィールド内のサブフィールド数が増加すると階調数を増加させることが可能となる。
【先行技術文献】
【特許文献】
【０００３】
【特許文献１】特開２００３−１１４６６１号公報
【発明の概要】
【発明が解決しようとする課題】
【０００４】
ところで、サブフィールド駆動のように２値のデータ信号を画素に書き込むデジタル駆動では、走査線の選択に同期して、データ線駆動回路から複数のデータ線にデータ信号を一斉に供給する。例えば、画素に「１」を書き込む場合に５Ｖをデータ線に供給し、画素に「０」を書き込む場合に０Ｖをデータ線に供給することを想定する。この場合、表示内容によっては、全てのデータ線に５Ｖを供給する必要がある。
しかしながら、電源装置にも出力インピーダンスがあり、また、電源ラインにも等価的にインピーダンスが存在する。従って、ある走査線に接続された全ての画素に「１」を書き込む場合にデータ信号の電圧が５Ｖにならず、５Ｖより低い電圧（例えば、４．５Ｖ）を書き込むことがある。
例えば、図１１に示す画像を表示することを想定する。この例では、中央の領域Ｚに黒を、上段の領域Ｘ１、下段の領域Ｘ２、中段左側の領域Ｙ１、及び中段右側の領域Ｙ２に白を表示するものである。ここで、「白」の表示には５Ｖのデータ信号を画素に書き込む必要があり、「黒」の表示には０Ｖのデータ信号を画素に書き込む必要があるものとする。実際に表示される画像を図１２に示す。上段及び下段は全体を白で表示するため、電源電圧の降下が大きく、本来５Ｖであるものが４.５Ｖに低下する。この結果、４.５Ｖのデータ信号が画素に書き込まれ、灰色の画像が表示される。一方、中段の領域Ｙ１及び領域Ｙ２では、中央に黒を表示するため、上段及び下段と比較して電源電圧の降下が大きくなく４.８Ｖとなっている。このため、４.８Ｖのデータ信号が画素に書き込まれ、領域Ｘ１及び領域Ｘ２よりは明るいが、本来、表示すべき白より暗くなる。
以上の事情を考慮して、本発明は、デジタル駆動において、電源電圧の低下に伴う画質の劣化を低減することを解決課題とする。
【課題を解決するための手段】
【０００５】
以上の課題を解決するために、本発明に係る電気光学装置は、複数の画素を備え、１フレームを時間軸上で複数のサブフィールドに分割し、サブフィールドごとに前記画素がオン又はオフするように制御するものであって、複数の走査線と、前記複数の走査線に交差する複数のデータ線と、前記複数の走査線と前記複数のデータ線との各交差に対応して配置された前記複数の画素と、表示すべき階調を示す階調データに基づいてサブフィールドごとに画素のオン又はオフを指定する画像データを生成する画像データ生成部と、前記複数の走査線を選択して、前記画像データに応じたデータ信号を前記複数のデータ線を介して前記複数の画素に供給する駆動回路と、を備え、前記画像データ生成部は、前記階調データと前記画像データと対応づけた複数のテーブルを記憶した記憶部と、前記複数の走査線のうち少なくとも１本の走査線に対応する１ラインの前記階調データの合計値に応じて、前記複数のテーブルの中から一つのテーブルをラインごとに選択するテーブル選択部と、  前記テーブル選択部によって選択されたテーブルを用いて、前記階調データを前記画像データに変換する変換部と、を備える。
【０００６】
１フレームを時間軸上で複数のサブフィールドに分割し、サブフィールドごとに前記画素がオン又はオフするように制御する駆動では、２値で制御するため、オンする画素が多いと電源電圧が降下し、正確に階調を表示することが困難になる。この発明によれば、１ラインの前記階調データの合計値に応じて、階調データを画像データに変換するテーブルを選択するので、オンする画素が多く電源電圧の降下が大きい場合には、明るい画像に変換するテーブルを選択することによって、画質劣化を改善することが可能となる。特に、階調差の大きい複数の領域が存在する場合、領域の境界を目立たなくできる。
なお、電気光学装置は、電気エネルギーによって光学特性が変化する電気光学物質をもちいて画像を表示するものであって、液晶装置やＥＬ装置を含む。
【０００７】
上述した電気光学装置において、前記複数のテーブルは基準テーブルを含み、前記テーブル選択部は、前記基準テーブルを用いて前記階調データを前記画像データに変換し、当該画像データに基づいて、ライン単位でサブフィールドごとにオンさせる画素の数をオン数又はライン単位でサブフィールドごとにオフさせる画素の数をオフ数としたとき、１フレームを構成する全てのサブフィールドについて前記オン数を合計した合計数又はオフ数を合計した合計数を特定し、１ラインの前記階調データの合計値に応じて定まる前記合計数に基づいて、前記複数のテーブルの中から一つのテーブルをラインごとに選択する、ことが好ましい。
この発明によれば、基準テーブルを用いて階調データを画像データに変換し、変換した画像データに基づいて、１フレームを構成する全てのサブフィールドについてオン数を合計した合計数をライン単位で特定するので、実際にオンする画素の数に応じてテーブルを選択することが可能となる。
【０００８】
上述した電気光学装置において、前記テーブル選択部は、１フレーム中の各ラインの前記合計数のうち最大となるフレーム最大値、１フレーム中の各ラインの前記合計数のうち最小となるフレーム最小値、１フレーム中の各ラインの前記合計数の平均値であるフレーム平均値を特定し、前記フレーム最大値と前記フレーム平均値との差分及び前記フレーム平均値と前記フレーム最小値との差分が所定値以上の場合、前記基準テーブルを用いて前記階調データを前記画像データに変換し、当該画像データに基づいて１ラインごとに前記合計数を特定し、前記合計数に基づいて、前記複数のテーブルの中から一つのテーブルをラインごとに選択することが好ましい。
この発明によれば、フレーム平均値からフレーム最大値やフレーム最小値が所定値以上、離れている場合に、合計数に応じてテーブルを選択することができる。電源電圧の降下で最も問題になるのは、階調差のある領域の境界が視認される点であるところ、フレーム平均値からフレーム最大値やフレーム最小値が大きく乖離している場合は、境界が視認され易い。この発明によれば、そのような場合に合計数に応じてテーブルを選択するので、境界を目立たなくすることができる。
【０００９】
上述した電気光学装置において、前記テーブル選択部は、前記フレーム最大値と前記フレーム平均値との差分及び前記フレーム平均値と前記フレーム最小値との差分が前記所定値未満の場合、当該フレームの各ラインで前記基準テーブルを選択することが好ましい。この発明によれば、フレーム平均値からフレーム最大値やフレーム最小値がさほど乖離していない場合は、合計数の評価に用いた基準テーブルを使用して画像データを生成することができる。
【００１０】
次に、本発明に係る電子機器は、上述した電気光学装置を備えることを特徴とする。そのような電子機器としては、プロジェクター、テレビ、パーソナルコンピューターなどが該当する。
【００１１】
また、上述して電気光学装置の発明は、電気光学装置の駆動方法を発明として捉えることができる。本発明に係る電気光学装置の駆動方法は、１フレームを時間軸上で複数のサブフィールドに分割し、サブフィールドごとに画素がオン又はオフするように制御し、複数の走査線と、前記複数の走査線に交差する複数のデータ線と、前記複数の走査線と前記複数のデータ線との各交差に対応して配置された複数の画素と、表示すべき階調を示す階調データとサブフィールドごとに画素のオン又はオフを指定する画像データとを対応づけて記憶した複数のテーブルとを備えた電気光学装置を駆動する方法であって、１ラインの前記階調データの合計値に応じて、前記複数のテーブルの中から一つのテーブルをラインごとに選択し、選択されたテーブルを用いて、前記階調データを前記画像データに変換し、前記複数の走査線を選択して、前記画像データに応じたデータ信号を前記複数のデータ線を介して前記複数の画素に供給する、ことを特徴とする。
この発明によれば、１ラインの前記階調データの合計値に応じて、階調データを画像データに変換するテーブルを選択するので、オンする画素が多く電源電圧の降下が大きい場合には、明るい画像に変換するテーブルを選択することによって、画質劣化を改善することが可能となる。
【００１２】
上述した電気光学装置の駆動方法において、前記複数のテーブルは基準テーブルを含み、  前記複数のテーブルの中から一つのテーブルをラインごとに選択する工程において、前記基準テーブルを用いて前記階調データを前記画像データに変換し、当該画像データに基づいて、ライン単位でサブフィールドごとにオンさせる画素の数をオン数又はライン単位でサブフィールドごとにオフさせる画素の数をオフ数としたとき、１フレームを構成する全てのサブフィールドについて前記オン数を合計した合計数又はオフ数を合計した合計数を特定し、１ラインの前記階調データの合計値に応じて定まる前記合計数に基づいて、前記複数のテーブルの中から一つのテーブルをラインごとに選択する、ことが好ましい。
【００１３】
上述した電気光学装置の駆動方法において、前記合計数に基づいて、前記複数のテーブルの中から一つのテーブルをラインごとに選択する工程において、１フレーム中の各ラインの前記合計数のうち最大となるフレーム最大値、１フレーム中の各ラインの前記合計数のうち最小となるフレーム最小値、１フレーム中の各ラインの前記合計数の平均値であるフレーム平均値を特定し、前記フレーム最大値と前記フレーム平均値との差分又は前記フレーム平均値と前記フレーム最小値との差分が所定値以上の場合、前記基準テーブルを用いて前記階調データを前記画像データに変換し、当該画像データに基づいて１ラインごとに前記合計数を特定し、１ラインの前記階調データの合計値に応じて定まる前記合計数に基づいて、前記複数のテーブルの中から一つのテーブルをラインごとに選択することが好ましい。
【００１４】
上述した電気光学装置の駆動方法において、前記合計数に基づいて、前記複数のテーブルの中から一つのテーブルをラインごとに選択する工程において、前記フレーム最大値と前記フレーム平均値との差分及び前記フレーム平均値と前記フレーム最小値との差分が前記所定値未満の場合、当該フレームの各ラインで前記基準テーブルを選択することが好ましい。
【図面の簡単な説明】
【００１５】
【図１】本発明の実施形態に係る電気光学装置のブロック図である。
【図２】画素回路の構成を示す回路図である。
【図３】１フレームとサブフレームとの関係を示す説明図である。
【図４】画像データ生成回路の構成を示すブロック図である。
【図５】テーブル選択部の動作を示すフローチャートである。
【図６】オン時間の合計を示す説明図である。
【図７】表示画像の具体例を示す説明図である。
【図８】具体例における合計数と選択されたテーブルとの関係を示す説明図である。
【図９】電子機器（投射型表示装置）の模式図である。
【図１０】電子機器（パーソナルコンピューター）の斜視図である。
【図１１】従来のデジタル駆動の問題を示す説明図である。
【図１２】従来のデジタル駆動の問題を示す説明図である。
【発明を実施するための形態】
【００１６】
＜実施形態＞
図１は、本発明の実施形態に係る液晶表示装置１０のブロック図である。電気光学パネル１２、制御回路１４、並びに、電気光学パネル及び制御回路１４に電源電圧を供給する電源回路５０を具備する。電気光学パネル１２は、複数の画素（画素回路）ＰIXが配列された画素部３０と、各画素ＰIXを駆動する駆動回路４０とを含む。画素部３０には、ｘ方向に延在するＭ本の走査線３２と、ｘ方向に交差するｙ方向に延在するＮ本のデータ線３４とが形成される（Ｍ及びＮは自然数）。画素部３０内の複数の画素ＰIXは、走査線３２とデータ線３４との各交差に対応して縦Ｍ行×横Ｎ列の行列状に配列される。
【００１７】
図２は、各画素ＰIXの回路図である。図２に示すように、各画素ＰIXは、液晶素子ＣLと選択スイッチＳWとを含む。液晶素子ＣLは、相互に対向する画素電極６２（第１電極）及び共通電極６４（第１電極）と両電極間の液晶６６とで構成された電気光学素子である。画素電極６２と共通電極６４との間の印加電圧に応じて液晶６６の透過率（表示階調）が変化する。選択スイッチＳWは、走査線３２にゲートが接続されたＮチャネル型の薄膜トランジスターで構成され、液晶素子ＣLとデータ線３４との間に介在して両者の電気的な接続（導通／絶縁）を制御する。走査信号Ｙ[m]が選択電位に設定されることで第ｍ行の各画素ＰIXにおける選択スイッチＳWが同時にオン状態に遷移する。各画素ＰIX（液晶素子ＣL）は、選択スイッチＳWがオン状態に制御されたとき（すなわち走査線３２の選択時）のデータ線３４のデータ信号Ｘ[n]に応じた階調を表示する。なお、液晶素子ＣLに並列に補助容量を接続した構成も採用され得る。
【００１８】
図１に示す駆動回路４０は、走査線駆動回路４２とデータ線駆動回路４４とを具備する。駆動回路４０は電回路５０から電源電圧の供給を受けて動作する。走査線駆動回路４２は、各走査線３２に対応する走査信号Ｙ[1]〜Ｙ[M]の供給で各走査線３２を順次に選択する。走査信号Ｙ[m]（ｍ＝１〜Ｍ）が所定の選択電位に設定されることで第ｍ行の走査線３２が選択される。データ線駆動回路４４は、走査線駆動回路４２による走査線３２の選択に同期してＮ本のデータ線３４の各々にデータ信号Ｘ[1]〜Ｘ[N]を供給する。
【００１９】
本実施形態では、１枚の画像を表示するための１フレームは、１０個のサブフィールドＳＦ１〜ＳＦ１０からなる。図３に１フレームとサブフィールドＳＦ１〜ＳＦ１０との関係を示す。この例のサブフィールドＳＦ１〜ＳＦ１０は、時間的な重み付けがなされている。そして、サブフィールドＳＦ１〜ＳＦ１０の各々において、走査線駆動回路４２は、走査信号Ｙ[1]〜Ｙ[M]を選択電位に順次設定する。これにより、１水平走査期間１Ｈごとに走査線３２が選択され、選択された走査線３２の画素ＰIXにデータ信号Ｘ[1]〜Ｘ[N]が書き込まれる。データ信号Ｘ[1]〜Ｘ[N]は、オン（点灯、この例では透過率１００％）を指定する第１電位とオフ（消灯、この例では透過率０％）を指定する第２電位のいずれかとなる。なお、共通電極６４に供給される電位を基準としてデータ信号Ｘ[n] （ｎ＝１〜Ｎ）の極性は周期的に反転する。また、オンとは液晶６６に電圧が印加される状態をいい、オフとは液晶６６に電圧が印加される状態をいう。したがって、ノーマリーブラックでは、オンで画素が点灯、オフで画素が消灯する一方、ノーマリーホワイトでは、オンで画素が消灯、オフで画素が点灯する。また、以下の説明では、走査線に対応して階調が制御される行方向の画素の集合をラインと称する。
【００２０】
図１に示す制御回路１４は、画像処理回路１４２と画像データ生成回路１４４とを備える。画像処理回路１４２、入力信号Ｖｉｎにガンマ補正などの画像処理を施して、各画素で表示すべき階調を示す階調データＤを生成する。画像データ生成回路１４４は階調データＤに基づいてサブフィールドごとに画素ＰIXのオン又はオフを指定する画像データＧを生成する。
【００２１】
図４に画像データ生成回路１４４の構成を示す。この図に示すように画像データ生成回路１４４は、テーブル選択部７０、変換部７１、第１テーブルＴＢＬ１、第２テーブルＴＢＬ２、及び第３テーブルＴＢＬ３を備える。なお、テーブル選択部７０及び変換部７１は、ＣＰＵが所定のプログラムを実行することによって実現される。
【００２２】
第１乃至第３テーブルＴＢＬ１〜ＴＢＬ３の各々には、階調データＤと画像データＧとが対応付けて記憶されている。したがって、第１乃至第３テーブルＴＢＬ１〜ＴＢＬ３を参照すれば、画素ＰIXで表示すべき階調を示す階調データＤをサブフィールドごとに画素ＰIXのオン又はオフを指定する画像データＧに変換することができる。但し、第１テーブルＴＢＬ１では標準の明るさの画像を表示できるように階調データＤと画像データＧとが対応付けられており、第２テーブルＴＢＬ２には、同じ階調データＤが供給された場合、標準の画像より明るい画像を表示できるように階調データＤと画像データＧとが対応付けられており、第３テーブルＴＢＬ３には、同じ階調データＤが供給された場合、標準の画像より暗い画像が表示できるように階調データＤと画像データＧとが対応付けられている。
【００２３】
テーブル選択部７０は、階調データＤに基づいて、第１乃至第３テーブルＴＢＬ１〜ＴＢＬ３のうちどれを用いて変換するかを指定する選択信号ＳＥＬを生成し、変換部７１に供給する。変換部７１は、選択信号ＳＥＬで指定されるテーブルを用いて、階調データＤを画像データＧに変換してデータ線駆動回路４４に出力する。
【００２４】
図５に、テーブル選択部７０の動作を示す。まず、テーブル選択部７０は、標準の明るさの画像に変換する第１テーブルＴＢＬ１を用いて階調データＤをサブフィールドごとに画素のオン又はオフを示す画像データＧに変換する（Ｓ１００）。次に、テーブル選択部７０は、変換した画像データＧに基づいて、ライン単位でサブフィールドごとにオンさせる画素の数であるオン数としたとき、１フレームを構成する全てのサブフィールドについてオン数を合計した合計数を算出する（Ｓ１０１）。
図６に、ｉ番目のラインにおける合計数の算出方法を示す。この例ではライン方向に１９２０個の画素ＰIXが配列されているもとする。画像データＧijは、ｉ番目のラインの右からｊ番目の画素ＰIXに対応するものである。画像データＧijは１０個のサブフィールドＳＦ１〜ＳＦ１０に対応した１０ビットのデータとして与えられ、「１」がオン、「０」がオフを示している。
サブフィールドＳＦ１における当該ラインの画素のオン数は画像データＧi1〜Ｇi1920の第1ビットの「１」の総数となる。サブフィールドＳＦ２おける当該ラインの画素のオン数は画像データＧi1〜Ｇi1920の第２ビットの「１」の総数となる。したがって、合計数は、各サブフィールドＳＦ１〜ＳＦ１０のオン数の合計であるから、画像データＧi1〜Ｇi1920を構成する各ビットの「１」の総数となる。
【００２５】
説明を図５に戻す。次に、テーブル選択部７０は、各ラインについて算出した合計数ＴＬに基づいて、１フレーム中で最大となる合計数ＴＬをフレーム最大値ＴＦmax、１フレーム中で最小となる合計数ＴＬをフレーム最小値ＴＦmin、１フレーム中の合計数ＴＬの平均をフレーム平均値ＴＦaveとして算出する（Ｓ１０２）。
【００２６】
次に、テーブル選択部７０は、フレーム最大値ＴＦmaxからフレーム平均値ＴＦaveを減算した減算結果の絶対値が所定値Ｔref以上であるか（|ＴＦmax-ＴＦave|≧Ｔref）、又は
フレーム最小値ＴＦminからフレーム平均値ＴＦaveを減算した減算結果の絶対値が所定値Ｔref以下であるか（|ＴＦmin-ＴＦave|≦Ｔref）を判定する（Ｓ１０３）。１フレーム中の階調のばらつきが大きくなく、フレーム最大値ＴＦmaxとフレーム平均値ＴＦaveとの差分（|ＴＦmax-ＴＦave|）及びフレーム平均値ＴＦaveとフレーム最小値ＴＦminとの差分が所定値Ｔref未満の場合、ステップＳ１０３の判定結果は「ＮＯ」となり、テーブル選択部７０は、１フレーム中の各ラインで第１テーブルＴＢＬ１を選択する。すなわち、１フレーム中の階調のばらつきの程度が基準値より大きくない場合には、標準の画像に変換する第１テーブルＴＢＬ１が選択される。
【００２７】
一方、１フレーム中の階調のばらつきが大きく、フレーム最大値ＴＦmaxとフレーム平均値ＴＦaveとの差分（|ＴＦmax-ＴＦave|）又はフレーム平均値ＴＦaveとフレーム最小値ＴＦminとの差分が所定値Ｔref以上の場合、ステップＳ１０３の判定結果は「ＹＥＳ」となり、テーブル選択部７０は、変数ｉに「１」をセットする（Ｓ１０５）。
この後、テーブル選択部７０は、ｉ番目のラインの合計数ＴＬｉが、フレーム平均値ＴＦaveに所定値Ｔrefを加算した値以上であるか否かを判定する（Ｓ１０６）。ステップＳ１０６の判定条件が肯定される場合、テーブル選択部７０は、ｉ番目のラインにおいて標準の画像より明るい画像に変換する第２テーブルＴＢＬ２を選択する。合計数ＴＬｉが、フレーム平均値ＴＦaveに所定値Ｔrefを加算した値以上である場合には、オンを指定するデータ信号を書き込む時間が長くなるので、電源電圧が降下する。そこで、テーブル選択部７０は、電源電圧の降下を補うように標準の画像よりも明るい画像に変換する第２テーブルＴＢＬ２を選択した。
【００２８】
一方、ステップＳ１０６の判定条件が否定される場合、テーブル選択部７０は、ｉ番目のラインの合計数ＴＬｉが、フレーム平均値ＴＦaveから所定値Ｔrefを減算した値以下であるか否かを判定する（Ｓ１０８）。ステップＳ１０８の判定条件が肯定される場合、テーブル選択部７０は、ｉ番目のラインにおいて標準の画像より暗い画像に変換する第３テーブルＴＢＬ３を選択する（Ｓ１０９）。合計数ＴＬｉが、フレーム平均値ＴＦaveから所定値Ｔrefを減算した値以下である場合には、オンを指定するデータ信号を書き込む時間が短くなるので、電源電圧が標準の画像を書き込む場合と比較してあまり発生しない。この場合に、仮に、テーブル選択部７０が、標準の画像用の第１テーブルを選択すると、電源電圧の降下が小さいため、本来よりも明るい画像が表示されてしまう。そこで、電源電圧の降下を考慮して、標準の画像よりも暗い画像に変換する第３テーブルＴＢＬ３が選択される。
【００２９】
一方、ステップＳ１０８の判定条件が否定される場合、テーブル選択部７０は、ｉ番目のラインにおいて標準の画像に変換する第１テーブルＴＢＬ１を選択する（Ｓ１１０）。この後、テーブル選択部７０は、変数ｉが全ライン数である１０８０と一致するか否かを判定し（Ｓ１１１）、不一致の場合は、変数ｉを「１」インクリメントして（Ｓ１１２）、処理をステップＳ１０６に戻す。テーブル選択部７０は、変数ｉが１０８０と一致するまで処理を繰り返し、一致すると１フレームの処理を終了する。
【００３０】
次に、具体例を説明する。この例では、横１９２０×縦１０８０の画素ＰIXで画素部３０が構成されており、中央の領域Ｚに灰色を、上段の領域Ｘ１、下段の領域Ｘ２、中央左側の領域Ｙ１、及び中央右側の領域Ｙ２に白を表示するものとする。この場合、各ラインにおける合計数ＦＬは図８に示すものとなる。例えば、ライン番号１の合計数は、１画素当たり「１０」であり（図６参照）、１ライン当たり１９２０個の画素ＰIXがあるから、ＴＬ＝１０×１９２０＝１９２００となる。また、この例のフレーム最大値ＴＦmaxは１９２００であり、フレーム最小値ＴＦminは９６００であり、フレーム平均値ＴＦaveは、１４９３３（=(19200×600+9600×480)/1080）となる。ここで、所定値Ｔrefを３０００とする。この場合、フレーム最大値ＴＦmaxとフレーム平均値ＴＦaveとの差分は４２６７となり、フレーム最小値ＴＦminとフレーム平均値ＴＦaveとの差分は５３３３となり、いずれも所定値Ｔref(=3000)以上となる。したがって、図５に示すステップＳ１０３の判定結果はＹＥＳとなる。
【００３１】
ライン番号１〜３００及び７８１〜１０８０の各ラインにおける合計数ＴＬは１９２００であり、フレーム平均値ＴＦave(=14933)と所定値Ｔref(=3000)との合計値１７９３３以上である。したがって、ステップＳ１０６の判定結果はＹＥＳとなりライン番号１〜３００及び７８１〜１０８０の各ラインでは第２テーブルＴＢＬが選択される。
【００３２】
一方、ライン番号３０１〜７８０の各ラインにおける合計数ＴＬは９６００であり、フレーム平均値ＴＦave(=14933)と所定値Ｔref(=3000)との減算値１１９３３以下である。したがって、ステップＳ１０８の判定結果はＹＥＳとなりライン番号３０１〜７８０の各ラインでは第３テーブルＴＢＬが選択される。
【００３３】
合計数ＴＬは、あるラインにおいて、サブフィールドＳＦ１〜ＳＦ１０で画素ＰIXがオンする総数であるから、合計数ＴＬが大きい程、当該ラインを選択してデータ信号を書き込み際に電源電圧の降下が大きくなる。本実施形態によれば、ラインごとに合計数ＴＬを特定し、合計数ＴＬに応じて第１乃至第３テーブルＴＢＬ１〜ＴＢＬ３の中から階調データＤを画像データＧに変換するテーブルを選択したので、標準の明るさの画像を表示する場合と比較して、合計数ＴＬが大きく電源電圧の降下が大きい場合には、明るい画像に変換するテーブルを選択し、合計数ＴＬが短く電源電圧の降下が小さい場合には、暗い画像に変換するテーブルを選択することができる。これにより、電源電圧の降下に起因した画質劣化を抑制することができる。
【００３４】
＜変形例＞                                                      
以上の各形態は多様に変形され得る。具体的な変形の態様を以下に例示する。以下の例示から任意に選択された２以上の態様は、相互に矛盾しない範囲内で適宜に併合され得る。
【００３５】
（１）変形例１
上述した実施形態では、３種類のテーブルＴＢＬ１を用意したが、本発明はこれに限定されるものではなく、テーブル数は２以上であればよい。テーブル数を増加することによってより正確に補正をすることができ、電源電圧の降下に起因する画質劣化を抑制することができる。
【００３６】
（２）変形例２
上述した実施形態において、テーブル選択部７０は、第１テーブルＴＢＬ１を用いて階調データＤを画像データＧに変換し、合計数ＴＬを算出し、これに基づいてテーブルを選択したが、本発明はこれに限定されるものではなく、要は電源電圧の降下の指標となる値に基づいて、複数のテーブルの中から一つのテーブルをラインごとに選択するのであれば、いかなる態様であってもよい。１ラインの階調データＤの合計値は大きくなる程、オンを指定するデータ信号を画素ＰIXに書き込む時間が長くなる。したがって、テーブル選択部７０は、１ラインの階調データＤの合計値に応じて、複数のテーブルの中から一つのテーブルをラインごとに選択してもよい。
なお、ラインごとの合計数ＴＬに応じてテーブルを選択することは、１ラインの階調データＤの合計値に応じてテーブルを選択する一態様である。
【００３７】
（３）変形例３
上述した実施形態において、テーブル選択部７０は、フレーム最大値ＴＦmaxとフレーム平均値ＴＦaveとの差分及びフレーム平均値ＴＦaveとフレーム最小値ＴＦminとの差分が所定値Ｔref未満の場合、当該フレームの各ラインで第１テーブルＴＢＬ１を選択し、それ以外の場合に、ラインごとにどのテーブルを選択するかを決定したが、本発明はこれに限定されるものではなく、上述した差分と所定値Ｔrefとの比較を行うことなく、ラインごとの合計数に基づいて、テーブルを選択してもよい。
【００３８】
（４）変形例４
上述した実施形態では、電気光学装置として、電気的なエネルギーによって光学特性が変化する電気光学物質として液晶を用いた液晶表示装置１０を例示したが、本発明はこれに限定されるものではない。例えば、有機ＥＬ（Electro Luminescence）や無機ＥＬを電気光学物質として用いたＥＬ表示装置であってもよい。この場合も、液晶表示装置と同様にサブフィールド駆動を行う場合があり、１ライン中に同時のオンさせる画素ＰIXが多いと電源電圧の降下に伴う画質劣化が問題となる。そのような電気光学装置においても、上述した実施形態の駆動が好適である。
（５）変形例５
上述した実施形態では、１フレームを構成する全てのサブフィールドについてオン数を合計した合計数ＴＬを特定し、１ラインの階調データの合計値に応じて定まる合計数ＴＬに基づいて、第１乃至第３テーブルＴＢＬ１〜ＴＢＬ３の中から一つのテーブルをラインごとに選択したが、本発明はこれに限定されるものではない。例えば、１フレームを構成する全てのサブフィールドについてオフ数を合計した合計数を特定し、１ラインの階調データの合計値に応じて定まる合計数に基づいて、第１乃至第３テーブルＴＢＬ１〜ＴＢＬ３（複数のテーブル）の中から一つのテーブルをラインごとに選択してもよい。
【００３９】
＜応用例＞
以上の各形態に例示した液晶表示装置１０は、各種の電子機器に利用され得る。図９は、液晶表示装置１０を適用した投射型表示装置（３板式のプロジェクター）４０００の模式図である。投射型表示装置４０００は、相異なる表示色（赤色，緑色，青色）に対応する３個の液晶表示装置１０（１０R，１０G，１０B）を含んで構成される。照明光学系４００１は、照明装置（光源）４００２からの出射光のうち赤色成分ｒを液晶表示装置１０Rに供給し、緑色成分ｇを液晶表示装置１０Gに供給し、青色成分ｂを液晶表示装置１０Bに供給する。各液晶表示装置１０は、照明光学系４００１から供給される各単色光を表示画像に応じて変調する光変調器（ライトバルブ）として機能する。投射光学系４００３は、各液晶表示装置１０からの出射光を合成して投射面４００４に投射する。
【００４０】
図１０は、液晶表示装置１０を採用した可搬型のパーソナルコンピューターの斜視図である。パーソナルコンピューター２０００は、各種の画像を表示する液晶表示装置１０と、電源スイッチ２００１やキーボード２００２が設置された本体部２０１０とを具備する。
【００４１】
なお、本発明に係る液晶表示装置が適用される電子機器としては、図９及び図１０に例示した機器のほか、携帯情報端末（ＰＤＡ：Personal Digital Assistants），デジタルスチルカメラ，テレビ，ビデオカメラ，カーナビゲーション装置，車載用の表示器（インパネ）を備えた機器等などが挙げられる。
【符号の説明】
【００４２】
１０…液晶表示装置、１２…電気光学パネル、１４…制御回路、３０…画素部、ＰIX…画素、ＣL…液晶素子、３２…走査線、３４…データ線、４０…駆動回路、４２…走査線駆動回路、４４…データ線駆動回路、７０…テーブル選択部、７１…変換部、１４２…画像処理回路、１４４…画像データ生成回路、Ｄ…階調データ、Ｇ…画像データ、ＴＢＬ１〜ＴＢＬ３…第１乃至第３テーブル。
【図１】
2014052515.tif 000003
【図２】
2014052515.tif 000004
【図３】
2014052515.tif 000005
【図４】
2014052515.tif 000006
【図５】
2014052515.tif 000007
【図６】
2014052515.tif 000008
【図７】
2014052515.tif 000009
【図８】
2014052515.tif 000010
【図９】
2014052515.tif 000011
【図１０】
2014052515.tif 000012
【図１１】
2014052515.tif 000013
【図１２】
2014052515.tif 000014